(57)【要約】【課題】投写する画像を切り替える際の操作を簡略化することが可能なプロジェクタ及びその制御方法を提供する。【解決手段】プロジェクタ１は、入力端子２３に対する画像信号の入力の有無を常時監視している。そして、入力端子２３に対する画像信号の入力が開始された場合や、入力端子２３に入力されている画像信号の入力が途絶えた場合には、制御部２０は、画像信号検出部２５から入力される検出信号によってこれらを検知する。制御部２０は、入力選択部２９がＤＶＤ画像信号を選択している状態で、入力端子２３に対する画像信号の入力が開始されたことを検知すると、ＤＶＤを再生中であるか否かを判断し、ＤＶＤを再生中である場合には、ＤＶＤ再生部２６にＤＶＤの再生を停止させる。さらに、制御部２０は、入力選択部２９に指示をして外部入力画像信号を選択させる。この結果、画像投写部１０から外部入力画像が投写される。【選択図】図２
2009118036.tif 000002
【特許請求の範囲】
【請求項１】
記録媒体に記録された情報を読み取って、当該情報に基づく第１の画像信号を出力する画像再生部と、
外部の画像出力装置から第２の画像信号が入力される画像信号入力部と、
前記第１の画像信号及び前記第２の画像信号のいずれか一方を選択する入力選択部と、
前記入力選択部で選択された画像信号に基づく画像を投写する画像投写部と、
前記画像信号入力部に対する前記第２の画像信号の入力の有無を検出する画像信号検出部と、
前記入力選択部が前記第１の画像信号を選択している状態で、前記第２の画像信号の入力が開始されたことを前記画像信号検出部が検出した場合に、前記入力選択部に前記第２の画像信号を選択させる制御部と、
を備えたことを特徴とするプロジェクタ。
【請求項２】
請求項１に記載のプロジェクタであって、
前記制御部は、前記入力選択部が前記第１の画像信号を選択している状態で、前記第２の画像信号の入力が開始されたことを前記画像信号検出部が検出した場合に、前記画像再生部に前記情報の読み取りを停止させることを特徴とするプロジェクタ。
【請求項３】
請求項１又は２に記載のプロジェクタであって、
前記制御部は、前記入力選択部が前記第２の画像信号を選択している状態で、前記第２の画像信号の入力が途絶えたことを前記画像信号検出部が検出した場合に、前記入力選択部に前記第１の画像信号を選択させることを特徴とするプロジェクタ。
【請求項４】
請求項３に記載のプロジェクタであって、
前記制御部は、前記入力選択部が前記第２の画像信号を選択している状態で、前記第２の画像信号の入力が途絶えたことを前記画像信号検出部が検出した場合に、前記画像再生部に前記情報の読み取りを開始させることを特徴とするプロジェクタ。
【請求項５】
記録媒体に記録された情報を読み取って、当該情報に基づく第１の画像信号を出力する画像再生部と、
外部から第２の画像信号が入力される画像信号入力部と、
前記第１の画像信号及び前記第２の画像信号のいずれか一方を選択する入力選択部と、
前記入力選択部で選択された画像信号に基づく画像を投写する画像投写部と、
前記画像再生部に前記情報の読み取りを開始させるための再生操作、及び前記画像再生部に前記情報の読み取りを停止させるための停止操作を受け付ける入力操作部と、
前記入力選択部が前記第１の画像信号を選択している状態で、前記入力操作部が前記停止操作を受け付けた場合に、前記画像再生部に前記情報の読み取りを停止させるとともに、前記入力選択部に前記第２の画像信号を選択させる制御部と、
を備えたことを特徴とするプロジェクタ。
【請求項６】
請求項５に記載のプロジェクタであって、
前記制御部は、前記入力選択部が前記第２の画像信号を選択している状態で、前記入力操作部が前記再生操作を受け付けた場合に、前記画像再生部に前記情報の読み取りを開始させるとともに、前記入力選択部に前記第１の画像信号を選択させることを特徴とするプロジェクタ。
【請求項７】
記録媒体に記録された情報を読み取って、当該情報に基づく第１の画像信号を出力する画像再生部と、外部の画像出力装置から第２の画像信号が入力される画像信号入力部と、前記第１の画像信号及び前記第２の画像信号のいずれか一方を選択する入力選択部と、を有し、前記入力選択部で選択された画像信号に基づく画像を投写するプロジェクタの制御方法であって、
前記入力選択部に前記第１の画像信号を選択させる第１の選択ステップと、
前記第１の選択ステップの後に、前記画像信号入力部に対して前記第２の画像信号の入力が開始されたことを検出する画像信号検出ステップと、
前記画像信号検出ステップで前記第２の画像信号の入力が開始されたことを検出した場合に、前記入力選択部に前記第２の画像信号を選択させる第２の選択ステップと、
を備えたことを特徴とするプロジェクタの制御方法。
【請求項８】
記録媒体に記録された情報を読み取って、当該情報に基づく第１の画像信号を出力する画像再生部と、外部から第２の画像信号が入力される画像信号入力部と、前記第１の画像信号及び前記第２の画像信号のいずれか一方を選択する入力選択部と、前記画像再生部に前記情報の読み取りを開始させるための再生操作、及び前記画像再生部に前記情報の読み取りを停止させるための停止操作を受け付ける入力操作部と、を有し、前記入力選択部で選択された画像信号に基づく画像を投写するプロジェクタの制御方法であって、
前記入力選択部に前記第１の画像信号を選択させる第１の選択ステップと、
前記第１の選択ステップの後で、前記入力操作部に対する前記停止操作を受け付ける操作入力ステップと、
前記操作入力ステップで前記停止操作を受け付けた場合に、前記画像再生部に前記情報の読み取りを停止させる再生停止ステップと、
前記操作入力ステップで前記停止操作を受け付けた場合に、前記入力選択部に前記第２の画像信号を選択させる第２の選択ステップと、
を備えたことを特徴とするプロジェクタの制御方法。
【発明の詳細な説明】
【技術分野】
【０００１】
本発明は、記録媒体に記録されている情報を読み取る画像再生部を備えるとともに、外部から画像信号が入力される画像信号入力部を備えたプロジェクタ及びその制御方法に関する。
【背景技術】
【０００２】
プロジェクタを用いてプレゼンテーション等を行う際に、例えば、パーソナルコンピュータ（以降、ＰＣという。）からの画像と、ＤＶＤ（Digital Versatile Disc）再生装置からの画像とを切り替えながら聴衆に見せたい場合がある。この場合、２つの画像出力装置（ＰＣ及びＤＶＤ再生装置）をプロジェクタに接続しなければならないため、接続作業等の準備が煩雑であるうえ、広い設置スペースが必要になってしまう。
【０００３】
特許文献１に示すプロジェクタのように、ＤＶＤ再生部が一体的に備わるプロジェクタを用いれば、プロジェクタに１台の画像出力装置（例えば、ＰＣ）を接続するだけで、ＤＶＤに記録された画像（ＤＶＤ画像）と、外部の画像出力装置（ＰＣ）からの画像（外部入力画像）の双方をプロジェクタから投写することが可能となる。
【０００４】
【特許文献１】特開２００５−９９６１７号公報
【発明の開示】
【発明が解決しようとする課題】
【０００５】
しかしながら、ＤＶＤ再生部を一体的に備えたプロジェクタであっても、ＤＶＤ画像から外部入力画像に切り替える際には、ＤＶＤの再生を停止させるための操作、入力ソースを外部の画像出力装置に切り替えるための操作、画像出力装置から画像（画像信号）を出力させるための操作等が必要となる。また、外部入力画像からＤＶＤ画像に切り替える際にも、画像出力装置からの画像の出力を停止させるための操作、入力ソースをＤＶＤに切り替えるための操作、ＤＶＤの再生を開始するための操作等が必要となる。このように、投写させる画像を切り替える度に複数の操作が必要となってしまうため、操作の簡略化が望まれている。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、記録媒体に記録された情報を読み取って、当該情報に基づく第１の画像信号を出力する画像再生部と、外部の画像出力装置から第２の画像信号が入力される画像信号入力部と、前記第１の画像信号及び前記第２の画像信号のいずれか一方を選択する入力選択部と、前記入力選択部で選択された画像信号に基づく画像を投写する画像投写部と、前記画像信号入力部に対する前記第２の画像信号の入力の有無を検出する画像信号検出部と、前記入力選択部が前記第１の画像信号を選択している状態で、前記第２の画像信号の入力が開始されたことを前記画像信号検出部が検出した場合に、前記入力選択部に前記第２の画像信号を選択させる制御部と、を備えたことを特徴とする。
【０００８】
このプロジェクタによれば、入力選択部が第１の画像信号を選択している状態で、第２の画像信号の入力が開始されたことを画像信号検出部が検出した場合に、制御部は、入力選択部に第２の画像信号を選択させる。つまり、記録媒体から読み取られた情報に基づく画像（再生画像）が投写されている状態で、外部から画像信号が入力されると、この画像信号に基づく画像（外部入力画像）が投写される状態に切り替わる。このため、ユーザは、画像出力装置に画像信号を出力させる操作を行うことによって再生画像から外部入力画像に切り替えることが可能となるため、入力ソースを切り替えるための操作が不要となり、画像を切り替える際の操作を簡略化することが可能となる。
【０００９】
［適用例２］上記適用例に係るプロジェクタにおいて、前記制御部は、前記入力選択部が前記第１の画像信号を選択している状態で、前記第２の画像信号の入力が開始されたことを前記画像信号検出部が検出した場合に、前記画像再生部に前記情報の読み取りを停止させることが望ましい。
【００１０】
このプロジェクタによれば、入力選択部が第１の画像信号を選択している状態で、第２の画像信号の入力が開始されたことを画像信号検出部が検出した場合に、制御部は、画像再生部に情報の読み取りを停止させる。つまり、再生画像が投写されている状態で、外部から画像信号が入力されると、外部入力画像が投写される状態に切り替わるとともに、記録媒体からの情報の読み取りが停止する。このため、情報の読み取りを停止させるための操作が不要となり、画像を切り替える際の操作をさらに簡略化することが可能となる。
【００１１】
［適用例３］上記適用例に係るプロジェクタにおいて、前記制御部は、前記入力選択部が前記第２の画像信号を選択している状態で、前記第２の画像信号の入力が途絶えたことを前記画像信号検出部が検出した場合に、前記入力選択部に前記第１の画像信号を選択させることが望ましい。
【００１２】
このプロジェクタによれば、入力選択部が第２の画像信号を選択している状態で、第２の画像信号の入力が途絶えたことを画像信号検出部が検出した場合に、制御部は、入力選択部に第１の画像信号を選択させる。つまり、外部から入力される画像信号に基づく画像（外部入力画像）が投写されている状態で、この画像信号の入力が途絶えると、記録媒体から読み取られた情報に基づく画像（再生画像）が投写される状態に切り替わる。このため、ユーザは、画像出力装置に画像信号の出力を停止させるための操作を行うことによって、外部入力画像から再生画像に切り替えることが可能となるため、入力ソースを切り替えるための操作が不要となり、画像を切り替える際の操作を簡略化することが可能となる。
【００１３】
［適用例４］上記適用例に係るプロジェクタにおいて、前記制御部は、前記入力選択部が前記第２の画像信号を選択している状態で、前記第２の画像信号の入力が途絶えたことを前記画像信号検出部が検出した場合に、前記画像再生部に前記情報の読み取りを開始させることが望ましい。
【００１４】
このプロジェクタによれば、入力選択部が第２の画像信号を選択している状態で、第２の画像信号の入力が途絶えたことを画像信号検出部が検出した場合に、制御部は、画像再生部に情報の読み取りを開始させる。つまり、外部入力画像が投写されている状態で、外部からの画像信号の入力が途絶えると、記録媒体から情報の読み取りが開始されて、再生画像が投写される。このため、画像再生部に情報の読み取りを開始させるための操作が不要となり、画像を切り替える際の操作をさらに簡略化することが可能となる。
【００１５】
［適用例５］本適用例に係るプロジェクタは、記録媒体に記録された情報を読み取って、当該情報に基づく第１の画像信号を出力する画像再生部と、外部から第２の画像信号が入力される画像信号入力部と、前記第１の画像信号及び前記第２の画像信号のいずれか一方を選択する入力選択部と、前記入力選択部で選択された画像信号に基づく画像を投写する画像投写部と、前記画像再生部に前記情報の読み取りを開始させるための再生操作、及び前記画像再生部に前記情報の読み取りを停止させるための停止操作を受け付ける入力操作部と、前記入力選択部が前記第１の画像信号を選択している状態で、前記入力操作部が前記停止操作を受け付けた場合に、前記画像再生部に前記情報の読み取りを停止させるとともに、前記入力選択部に前記第２の画像信号を選択させる制御部と、を備えたことを特徴とする。
【００１６】
このプロジェクタによれば、入力選択部が第１の画像信号を選択している状態で、入力操作部が停止操作を受け付けた場合に、制御部は、画像再生部に情報の読み取りを停止させるとともに、入力選択部に第２の画像信号を選択させる。つまり、記録媒体からの情報の読み取りを停止させるための操作を行うことによって、記録媒体から読み取られた情報に基づく画像（再生画像）が投写されている状態から、外部から入力される画像信号に基づく画像（外部入力画像）が投写される状態に切り替えることが可能となるため、入力ソースを切り替えるための操作が不要となり、画像を切り替える際の操作を簡略化することが可能となる。
【００１７】
［適用例６］上記適用例に係るプロジェクタにおいて、前記制御部は、前記入力選択部が前記第２の画像信号を選択している状態で、前記入力操作部が前記再生操作を受け付けた場合に、前記画像再生部に前記情報の読み取りを開始させるとともに、前記入力選択部に前記第１の画像信号を選択させることが望ましい。
【００１８】
このプロジェクタによれば、入力選択部が第２の画像信号を選択している状態で、入力操作部が再生操作を受け付けた場合に、制御部は、画像再生部に情報の読み取りを開始させるとともに、入力選択部に第１の画像信号を選択させる。つまり、記録媒体からの情報の読み取りを開始させるための操作を行うことによって、外部入力画像が投写されている状態から再生画像が投写される状態に切り替えることが可能になるため、入力ソースを切り替えるための操作が不要となり、画像を切り替える際の操作を簡略化することが可能となる。
【００１９】
［適用例７］本適用例に係るプロジェクタの制御方法は、記録媒体に記録された情報を読み取って、当該情報に基づく第１の画像信号を出力する画像再生部と、外部の画像出力装置から第２の画像信号が入力される画像信号入力部と、前記第１の画像信号及び前記第２の画像信号のいずれか一方を選択する入力選択部と、を有し、前記入力選択部で選択された画像信号に基づく画像を投写するプロジェクタの制御方法であって、前記入力選択部に前記第１の画像信号を選択させる第１の選択ステップと、前記第１の選択ステップの後に、前記画像信号入力部に対して前記第２の画像信号の入力が開始されたことを検出する画像信号検出ステップと、前記画像信号検出ステップで前記第２の画像信号の入力が開始されたことを検出した場合に、前記入力選択部に前記第２の画像信号を選択させる第２の選択ステップと、を備えたことを特徴とする。
【００２０】
この制御方法によれば、入力選択部が第１の画像信号を選択している状態で、第２の画像信号の入力が開始されたことを検出した場合に、入力選択部に第２の画像信号を選択させる。つまり、記録媒体から読み取られた情報に基づく画像（再生画像）が投写されている状態で、外部から画像信号が入力されると、この画像信号に基づく画像（外部入力画像）が投写される状態に切り替わる。このため、ユーザは、画像出力装置に画像信号を出力させるための操作を行うことによって再生画像から外部入力画像に切り替えることが可能となるため、入力ソースを切り替えるための操作が不要となり、画像を切り替える際の操作を簡略化することが可能となる。
【００２１】
［適用例８］本適用例に係るプロジェクタの制御方法は、記録媒体に記録された情報を読み取って、当該情報に基づく第１の画像信号を出力する画像再生部と、外部から第２の画像信号が入力される画像信号入力部と、前記第１の画像信号及び前記第２の画像信号のいずれか一方を選択する入力選択部と、前記画像再生部に前記情報の読み取りを開始させるための再生操作、及び前記画像再生部に前記情報の読み取りを停止させるための停止操作を受け付ける入力操作部と、を有し、前記入力選択部で選択された画像信号に基づく画像を投写するプロジェクタの制御方法であって、前記入力選択部に前記第１の画像信号を選択させる第１の選択ステップと、前記第１の選択ステップの後で、前記入力操作部に対する前記停止操作を受け付ける操作入力ステップと、前記操作入力ステップで前記停止操作を受け付けた場合に、前記画像再生部に前記情報の読み取りを停止させる再生停止ステップと、前記操作入力ステップで前記停止操作を受け付けた場合に、前記入力選択部に前記第２の画像信号を選択させる第２の選択ステップと、を備えたことを特徴とする。
【００２２】
この制御方法によれば、入力選択部が第１の画像信号を選択している状態で、入力操作部に停止操作がなされた場合に、画像再生部に情報の読み取りを停止させるとともに、入力選択部に第２の画像信号を選択させる。つまり、記録媒体から読み取られた情報に基づく画像（再生画像）が投写されている状態で停止操作がなされると、外部から入力される画像信号に基づく画像（外部入力画像）が投写される状態に切り替わる。このため、ユーザは、記録媒体からの情報の読み取りを停止させるための操作を行うことによって再生画像から外部入力画像に切り替えることが可能となるため、入力ソースを切り替えるための操作が不要となり、画像を切り替える際の操作を簡略化することが可能となる。
【００２３】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２４】
以下、本実施形態のプロジェクタについて、図面を参照して説明する。
図１は、本実施形態のプロジェクタの斜視図であり、（ａ）は、前方より見た図、（ｂ）は、後方より見た図である。
図１（ａ）、（ｂ）に示すように、プロジェクタ１は、外装を構成する筐体２によって装置本体が覆われた構成を有している。筐体２の前面２ｆには、外部のスクリーン等に画像（画像光）を投写する投写レンズ１３が露出しており、投写レンズ１３の下側には、記録媒体であるＤＶＤメディアを挿入するためのディスクスロット３が設けられている。筐体２の上面２ｔには、プロジェクタ１に対して各種指示を行うための複数の操作キー（操作ボタン）を備えた入力操作部２２が設けられ、筐体２の背面２ｒには、電源が入力される電源端子４や、外部の画像出力装置Ｃ（図２参照）から画像信号が入力される入力端子２３等が配設されている。
【００２５】
図２は、プロジェクタの回路構成を示すブロック図である。
図２に示すように、プロジェクタ１は、画像投写部１０、制御部２０、記憶部２１、入力操作部２２、入力端子２３、画像信号変換部２４、画像信号検出部２５、ＤＶＤ再生部２６、入力選択部２９、画像処理部３０、光源制御部３１等を備えている。
【００２６】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２９】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００３０】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３１】
入力操作部２２は、複数の操作キーを備えており、ユーザからの入力操作（操作キーの操作）を受け付ける。入力操作部２２が備える操作キーには、電源のオン／オフを行うための電源キーや、ＤＶＤの再生を指示するための再生キー、ＤＶＤの再生を停止させるための停止キー、画像信号の入力元（入力ソース）を切り替えるための入力切替キー等が含まれる。ユーザが入力操作部２２の各種操作キーを操作すると、入力操作部２２は、ユーザの操作内容（操作された操作キー）に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発し、図示しないリモコン信号受信部がこれを受信して制御部２０に伝達する。
【００３２】
入力端子２３には、パーソナルコンピュータやビデオ再生装置等、外部の画像出力装置Ｃから、各種形式の画像信号がケーブルを介して入力される。入力端子２３に入力された画像信号は、画像信号変換部２４に供給される。
【００３３】
画像信号変換部２４は、入力端子２３から入力された画像信号に対してＡ／Ｄ変換等の信号変換処理を行って、処理後の画像信号を入力選択部２９に出力する。
【００３４】
画像信号検出部２５は、入力端子２３に対する画像信号の入力の有無を検出して、その検出結果を表す検出信号を制御部２０に出力する。
【００３５】
ＤＶＤ再生部２６は、記録媒体（ＤＶＤメディアＭ）に記録された情報を読み取って、この情報に基づく画像信号を出力する画像再生部に相当するものであり、データ読取部２７及び信号処理部２８等を含んで構成されている。
【００３６】
データ読取部２７は、制御部２０の指示に基づいて、ディスクスロット３に挿入されたＤＶＤメディアＭをスピンドルモータ（図示せず）で回転させるとともに、光ピックアップ（図示せず）を走査して、ＤＶＤメディアＭに記録されている情報（データストリーム）を順次読み取る。データ読取部２７によって読み取られた情報は、信号処理部２８に順次出力される。
【００３７】
信号処理部２８は、デマルチプレクサやデコーダ等で構成され、制御部２０の指示に基づいて、データ読取部２７から入力される情報を画像信号と音声信号とに分離する処理や、分離した画像信号や音声信号をデコード（復号化）する処理等を行う。信号処理部２８は、復号化された画像信号を入力選択部２９に出力し、復号化された音声信号を図示しない音声出力部に出力する。なお、ＤＶＤ再生部２６が、ＤＶＤメディアＭから情報を読み取って、この情報に基づく画像信号を出力することを、本明細書では「ＤＶＤを再生する」と表記する。
【００３８】
また、ＤＶＤ再生部２６は、ディスクスロット３にＤＶＤメディアＭが挿入されているか否かを、光ピックアップが受光する反射光の信号レベルによって検出することが可能になっており、その検出結果を表す検出信号を制御部２０に出力する。
【００３９】
入力選択部２９は、入力端子２３から画像信号変換部２４を経て入力される画像信号（外部入力画像信号）と、ＤＶＤ再生部２６から入力される画像信号（ＤＶＤ画像信号）のいずれか一方を、制御部２０の指示に基づいて選択し、選択した画像信号を画像処理部３０に出力する。即ち、入力選択部２９は、外部入力画像信号に基づく画像（外部入力画像）を表示する状態と、ＤＶＤメディアＭから読み取られた情報に基づく画像（ＤＶＤ画像）を表示する状態とを、制御部２０の指示に応じて切り替えることができる。
【００４０】
画像処理部３０は、入力選択部２９から入力される画像信号を、液晶ライトバルブ１２Ｒ，１２Ｇ，１２Ｂの各画素の階調を表す画像情報、即ち各画素に印加する駆動電圧を規定するための画像情報に変換する。さらに、画像処理部３０は、制御部２０の指示に基づいて、変換した画像情報に対して、明るさ、コントラスト、シャープネス、色合い等を調整するための処理や、画像上に設定メニュー等を重畳させるための処理等を行う。画像処理部３０で画質調整等がなされた画像情報は、ライトバルブ駆動部１４に出力される。なお、入力選択部２９で選択されている画像信号の入力がない場合、即ち、ＤＶＤ画像信号が選択されている状態でＤＶＤの再生が停止している場合、或いは、外部入力画像信号が選択されている状態で入力端子２３に画像信号が入力されていない場合には、画像処理部３０は、所定の画像（例えば、青色の無地画像）を表す画像情報をライトバルブ駆動部１４に出力する。
【００４１】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００４２】
光源制御部３１は、制御部２０の指示に基づいて、光源１１に対する電力の供給と停止とを制御し、光源１１の点灯及び消灯を切り替える。
【００４３】
次に、プロジェクタ１の動作について説明する。
図３は、電源投入時のプロジェクタ１の動作を説明するためのフローチャートである。
図３に示すように、ユーザにより入力操作部２２の電源キーが操作され、電源がオンの状態になると、制御部２０は、各種初期化処理を行う（ステップＳ１０１）とともに、光源制御部３１に指示をして光源１１を点灯させる（ステップＳ１０２）。
【００４４】
その後、制御部２０は、画像信号検出部２５から入力される検出信号に基づいて、入力端子２３に画像信号が入力されているか否かを判断し（ステップＳ１０３）、画像信号が入力されている場合には、入力選択部２９に指示をして外部入力画像信号を選択させる（ステップＳ１０４）。この結果、画像投写部１０から外部入力画像が投写される。
【００４５】
一方、入力端子２３に画像信号が入力されていない場合には、制御部２０は、ＤＶＤ再生部２６から入力される検出信号に基づいて、ディスクスロット３にＤＶＤメディアＭが挿入された状態であるか否かを判断する（ステップＳ１０５）。そして、ＤＶＤメディアＭが挿入された状態である場合には、ＤＶＤ再生部２６に指示をしてＤＶＤの再生を開始させ（ステップＳ１０６）、さらに入力選択部２９に指示をしてＤＶＤ画像信号を選択させる（ステップＳ１０７）。この結果、画像投写部１０からＤＶＤ画像が投写される。なお、ディスクスロット３にＤＶＤメディアＭが挿入されていない場合には、制御部２０は、入力選択部２９にＤＶＤ画像信号を選択させる処理（ステップＳ１０７）のみを行ってフローを終了し、ディスクスロット３に対するＤＶＤメディアＭの挿入や、外部からの画像信号の入力等を待機する。
【００４６】
電源がオンの状態では、プロジェクタ１は、入力端子２３に対する画像信号の入力の有無を常時監視している。そして、入力端子２３に対する画像信号の入力が開始された場合や、入力端子２３に入力されている画像信号の入力が途絶えた場合には、制御部２０は、画像信号検出部２５から入力される検出信号によって、入力が開始されたこと、或いは入力が途絶えたことを検知する。
【００４７】
図４は、入力端子２３に対する画像信号の入力が開始された際のプロジェクタ１の動作を示すフローチャートである。制御部２０は、入力選択部２９がＤＶＤ画像信号を選択している状態で、入力端子２３に対する画像信号の入力が開始されたことを検知すると、図４に示すフローに従って動作する。
【００４８】
図４に示すように、ステップＳ１１１では、制御部２０は、ＤＶＤ再生部２６がＤＶＤを再生中であるか否かを判断する。この結果、ＤＶＤを再生中である場合には、ステップＳ１１２に移行する。一方、ＤＶＤ再生部２６がＤＶＤを再生していない状態、即ちＤＶＤの再生が停止した状態である場合には、ステップＳ１１３に移行する。
【００４９】
ＤＶＤを再生中であってステップＳ１１２に移行した場合には、制御部２０は、ＤＶＤ再生部２６に指示をしてＤＶＤの再生を停止させる。
【００５０】
ステップＳ１１３では、制御部２０は、入力選択部２９に指示をして外部入力画像信号を選択させてフローを終了する。この結果、画像投写部１０から外部入力画像が投写される。
【００５１】
プロジェクタ１は上記のように動作するため、ユーザは、ＤＶＤを再生させてＤＶＤ画像を投写している最中であっても、入力端子２３に画像信号を供給するだけで、この画像信号に基づく画像（外部入力画像）を画像投写部１０から投写させることが可能となる。つまり、ＤＶＤ画像から外部入力画像に切り替えるためには、ユーザは、入力端子２３にケーブルを介して接続された画像出力装置Ｃに対して、画像信号を出力させるための操作を行うだけで済むようになる。
【００５２】
図５は、入力端子２３に対する画像信号の入力が途絶えた際のプロジェクタ１の動作を示すフローチャートである。制御部２０は、入力選択部２９が外部入力画像信号を選択している状態で、画像信号の入力が途絶えたことを検知すると、図５に示すフローに従って動作する。
【００５３】
図５に示すように、ステップＳ１２１では、制御部２０は、ＤＶＤ再生部２６から入力される検出信号に基づいて、ディスクスロット３にＤＶＤメディアＭが挿入された状態であるか否かを判断する。この結果、ＤＶＤメディアＭが挿入された状態である場合には、ステップＳ１２２に移行し、ＤＶＤメディアＭが挿入されていない状態である場合には、フローを終了する。
【００５４】
ＤＶＤメディアＭが挿入されていてステップＳ１２２に移行した場合には、制御部２０は、ＤＶＤ再生部２６に指示をしてＤＶＤの再生を開始させる。
【００５５】
そして、ステップＳ１２３では、制御部２０は、入力選択部２９に指示をしてＤＶＤ画像信号を選択させる。この結果、ディスクスロット３にＤＶＤメディアＭが挿入されている場合には、画像投写部１０からＤＶＤ画像が投写される。
【００５６】
プロジェクタ１は上記のように動作するため、ユーザは、外部入力画像を投写中であっても、ディスクスロット３にＤＶＤメディアＭが挿入された状態であれば、入力端子２３に対する画像信号の供給を停止するだけで、ＤＶＤ画像を画像投写部１０から投写させることが可能となる。つまり、外部入力画像からＤＶＤ画像に切り替えるためには、ユーザは、入力端子２３に画像信号を出力している画像出力装置Ｃに対して、画像信号の出力を停止させるための操作を行うだけで済むようになる。
【００５７】
また、制御部２０は、入力選択部２９が外部入力画像信号を選択している状態で、入力操作部２２に備わる再生キーがユーザによって操作された場合にも、図５に示すフローに従って動作するようになっている。つまり、再生キーが操作されると、制御部２０は、ＤＶＤ再生部２６から入力される検出信号に基づいて、ディスクスロット３にＤＶＤメディアＭが挿入された状態であるか否かを判断する（ステップＳ１２１）。そして、ＤＶＤメディアＭが挿入された状態である場合には、ＤＶＤ再生部２６に指示をしてＤＶＤの再生を開始させ（ステップＳ１２２）、さらに、入力選択部２９に指示をしてＤＶＤ画像信号を選択させる（ステップＳ１２３）。この結果、画像投写部１０からＤＶＤ画像が投写される。なお、ディスクスロット３にＤＶＤメディアＭが挿入されていない場合には、制御部２０は、上記のステップＳ１２２，Ｓ１２３をスキップしてフローを終了する。
【００５８】
このため、ユーザは、外部入力画像を投写中であっても、ディスクスロット３にＤＶＤメディアＭが挿入された状態であれば、再生キーの操作を行うだけで、ＤＶＤ画像を画像投写部１０から投写させることが可能となる。
【００５９】
また、入力選択部２９がＤＶＤ画像信号を選択している状態で、ユーザにより停止キーが操作された場合には、制御部２０は、図６に示すフローに従って動作する。
図６は、停止キーが操作された際のプロジェクタ１の動作を示すフローチャートである。
図６に示すように、入力選択部２９がＤＶＤ画像信号を選択している状態でユーザにより停止キーが操作されると、制御部２０は、ＤＶＤ再生部２６に指示をしてＤＶＤの再生を停止させる（ステップＳ１３１）。そして、制御部２０は、画像信号検出部２５から入力される検出信号に基づいて、入力端子２３に画像信号が入力されているか否かを判断し（ステップＳ１３２）、画像信号が入力されている場合には、入力選択部２９に指示をして外部入力画像信号を選択させる（ステップＳ１３３）。この結果、画像投写部１０から外部入力画像が投写される。なお、入力端子２３に画像信号が入力されていない場合には、制御部２０は、上記のステップＳ１３３をスキップしてフローを終了する。
【００６０】
このため、ユーザは、ＤＶＤ画像を投写中であっても、入力端子２３に画像信号が入力されている状態であれば、停止キーの操作を行うだけで、外部入力画像を画像投写部１０から投写させることが可能となる。
【００６１】
なお、ＤＶＤを再生中にユーザにより停止キーが操作された場合には、制御部２０は、ＤＶＤの再生を停止させるとともに、データストリームにおける停止位置を自らのＲＡＭに記憶するようになっている。そして、この後でユーザにより再生キーが操作された場合には、制御部２０は、記憶されている停止位置から再生を開始する。また、停止位置が記憶されている状態で再度停止キーが操作されると、制御部２０は、記憶されている停止位置を破棄するようになっており、この後で、ユーザにより再生キーが操作された場合には、制御部２０は、データストリームの先頭から再生を開始する。
【００６２】
また、プロジェクタ１は、入力操作部２２に備わる入力切替キーが操作された場合にも、画像信号の選択を交互に切り替えるようになっている。つまり、制御部２０は、入力選択部２９が外部入力画像信号を選択している状態で入力切替キーが操作された場合には、入力選択部２９にＤＶＤ画像信号を選択させ、入力選択部２９がＤＶＤ画像信号を選択している状態で入力切替キーが操作された場合には、入力選択部２９に外部入力画像信号を選択させる。ただし、入力切替キーによってＤＶＤ画像信号が選択された場合には、制御部２０は、ＤＶＤの再生を開始せるための処理は行わない。このため、ＤＶＤを再生させる必要がある場合には、ユーザは、入力切替キーとともに再生キーを操作しなければならない。また、入力切替キーによって外部入力画像信号が選択された場合には、制御部２０は、ＤＶＤの再生を停止させるための処理は行わない。このため、ＤＶＤの再生を停止させる必要がある場合には、ユーザは、入力切替キーとともに停止キーを操作しなけばならない。
【００６３】
以上説明したように、本実施形態のプロジェクタ１によれば、以下の効果を得ることができる。
【００６４】
（１）本実施形態のプロジェクタ１によれば、入力選択部２９がＤＶＤ画像信号を選択している状態で、画像信号検出部２５が画像信号（外部入力画像信号）の入力が開始されたことを検出した場合に、制御部２０は、入力選択部２９に外部入力画像信号を選択させる。つまり、ＤＶＤメディアＭから読み取られた情報に基づく画像（ＤＶＤ画像）が投写されている状態で、外部から画像信号が入力されると、この画像信号に基づく画像（外部入力画像）が投写される状態に切り替わる。このため、ユーザは、画像出力装置Ｃに画像信号を出力させる操作を行うことによってＤＶＤ画像から外部入力画像に切り替えることが可能となるため、入力ソースを切り替えるための操作が不要となり、画像を切り替える際の操作を簡略化することが可能となる。
【００６５】
（２）本実施形態のプロジェクタ１によれば、入力選択部２９がＤＶＤ画像信号を選択している状態で、画像信号検出部２５が画像信号（外部入力画像信号）の入力が開始されたことを検出した場合に、制御部２０は、ＤＶＤ再生部２６にＤＶＤの再生を停止させる。つまり、ＤＶＤ画像が投写されている状態で、外部から画像信号が入力されると、外部入力画像が投写される状態に切り替わるとともに、ＤＶＤの再生が停止する。このため、ＤＶＤの再生を停止させるための操作が不要となり、画像を切り替える際の操作をさらに簡略化することが可能となる。
【００６６】
（３）本実施形態のプロジェクタ１によれば、入力選択部２９が外部入力画像信号を選択している状態で、画像信号検出部２５が外部入力画像信号の入力が途絶えたことを検出した場合に、制御部２０は、入力選択部２９にＤＶＤ画像信号を選択させる。つまり、外部から入力される画像信号に基づく画像（外部入力画像）が投写されている状態で、この画像信号の入力が途絶えると、ＤＶＤ画像が投写される状態に切り替わる。このため、ユーザは、画像出力装置Ｃに画像信号の出力を停止させる操作を行うことによって、外部入力画像からＤＶＤ画像に切り替えることが可能となるため、入力ソースを切り替えるための操作が不要となり、画像を切り替える際の操作を簡略化することが可能となる。
【００６７】
（４）本実施形態のプロジェクタ１によれば、入力選択部２９が外部入力画像信号を選択している状態で、画像信号検出部２５が外部入力画像信号の入力が途絶えたことを検出した場合に、制御部２０は、ＤＶＤ再生部２６にＤＶＤの再生を開始させる。つまり、外部入力画像が投写されている状態で、外部からの画像信号の入力が途絶えると、ＤＶＤの再生が開始されて、ＤＶＤ画像が投写される。このため、ＤＶＤ再生部２６にＤＶＤの再生を開始させるための操作が不要となり、画像を切り替える際の操作をさらに簡略化することが可能となる。
【００６８】
（５）本実施形態のプロジェクタ１によれば、入力選択部２９がＤＶＤ画像信号を選択している状態で、入力操作部２２が停止キーの操作を受け付けた場合に、制御部２０は、ＤＶＤ再生部２６にＤＶＤの再生を停止させるとともに、入力選択部２９に外部入力画像信号を選択させる。つまり、ユーザは、停止キーを操作することによって、ＤＶＤ画像が投写されている状態から外部入力画像が投写される状態に切り替えることが可能となるため、入力ソースを切り替えるための操作が不要となり、画像を切り替える際の操作を簡略化することが可能となる。
【００６９】
（６）本実施形態のプロジェクタ１によれば、入力選択部２９が外部入力画像信号を選択している状態で、入力操作部２２が再生キーの操作を受け付けた場合に、制御部２０は、ＤＶＤ再生部２６にＤＶＤの再生を開始させるとともに、入力選択部２９にＤＶＤ画像信号を選択させる。つまり、ユーザは、再生キーを操作することによって、外部入力画像が投写されている状態からＤＶＤ画像が投写される状態に切り替えることが可能になるため、入力ソースを切り替えるための操作が不要となり、画像を切り替える際の操作を簡略化することが可能となる。
【００７０】
なお、本実施形態では、入力端子２３が画像信号入力部に相当する。また、ＤＶＤ再生部２６から出力される画像信号（ＤＶＤ画像信号）が第１の画像信号に相当し、入力端子２３に入力される画像信号（外部入力画像信号）が第２の画像信号に相当する。また、入力操作部２２に備わる再生キーの操作が再生操作に相当し、停止キーの操作が停止操作に相当する。
【００７１】
（変形例）
また、前記実施形態は、以下のように変更してもよい。
【００７２】
前記実施形態では、ＤＶＤメディアＭから情報を読み取り可能なＤＶＤ再生部２６を備えた構成を示しているが、ＤＶＤ以外の光ディスク、各種半導体メモリ、磁気ディスク、磁気テープ等、他の記録媒体から情報を読み取る構成であってもよい。
【００７３】
前記実施形態では、入力操作部２２が再生キーの操作を受け付けた場合に、ＤＶＤ再生部２６にＤＶＤの再生を開始させるとともに、入力選択部２９にＤＶＤ画像信号を選択させているが、ディスクスロット３にＤＶＤメディアＭが挿入されたことをＤＶＤ再生部２６が検出した場合にも、ＤＶＤの再生開始とＤＶＤ画像信号の選択とを行わせるようにしてもよい。
【００７４】
前記実施形態において、画像出力装置Ｃからプロジェクタ１に対する画像信号の出力は、ケーブルを介して（有線で）行われる態様に限定されず、無線通信を利用した態様であってもよい。この場合には、画像信号を受信するための受信手段が画像信号入力部に相当する。
【００７５】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７６】
前記実施形態では、光源１１は、放電型の光源ランプ１１ａによって構成されているが、ＬＥＤ光源等の固体光源や、その他の光源を用いることもできる。
【図面の簡単な説明】
【００７７】
【図１】プロジェクタの斜視図であり、（ａ）は、前方より見た図、（ｂ）は、後方より見た図。
【図２】プロジェクタの回路構成を示すブロック図。
【図３】電源投入時のプロジェクタの動作を説明するためのフローチャート。
【図４】入力端子に対する画像信号の入力が開始された際のプロジェクタの動作を示すフローチャート。
【図５】入力端子に対する画像信号の入力が途絶えた際のプロジェクタの動作を示すフローチャート。
【図６】停止キーが操作された際のプロジェクタの動作を示すフローチャート。
【符号の説明】
【００７８】
１…プロジェクタ、２…筐体、３…ディスクスロット、４…電源端子、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…入力操作部、２３…入力端子、２４…画像信号変換部、２５…画像信号検出部、２６…ＤＶＤ再生部、２７…データ読取部、２８…信号処理部、２９…入力選択部、３０…画像処理部、３１…光源制御部、Ｃ…画像出力装置、Ｍ…ＤＶＤメディア、ＳＣ…スクリーン。
【図１】
2009118036.tif 000003
【図２】
2009118036.tif 000004
【図３】
2009118036.tif 000005
【図４】
2009118036.tif 000006
【図５】
2009118036.tif 000007
【図６】
2009118036.tif 000008